(57)【要約】【課題】画像データが使用された家系図を作成することができる家系図作成方法、家系図作成プログラム及び家系図作成システムを提供すること。【解決手段】家系図作成システム１０は、家系図を構成する画像ファイルを記憶する画像ファイル記憶部２０と、画像の続柄データを記憶する属性データ記憶部２３とを備えている。また、画像の世代ごとに形成された第１〜第５世代配置領域内に、直系の画像用の画像配置領域、及び傍系の画像用の画像配置領域が設けられたテンプレートの情報を記憶したテンプレート記憶部２１と、管理コンピュータ１５とを備えている。管理コンピュータ１５は、画像の続柄データにより、画像の世代数と、続柄が直系又は傍系の続柄のいずれであるかを判断する。そして、画像ファイルを、画像ファイルの世代数に対応した第１〜第５世代配置領域内であって、画像の続柄に対応した直系用又は傍系用の画像配置領域に組み込む。【選択図】      図１
2004295648.tif 000002
【特許請求の範囲】
【請求項１】
家系図を構成する画像の画像ファイルを記憶する画像ファイル記憶手段と、前記画像の世代識別情報及び続柄識別情報を記憶する属性情報記憶手段と、前記画像の世代ごとに形成された世代別配置領域内に、直系用配置領域及び傍系用配置領域が設けられたテンプレートの情報を記憶したテンプレート記憶手段とが設けられ、これら各記憶手段との間で各種データを送受信する管理コンピュータを用いて、前記テンプレート上に家系図を作成する家系図作成方法において、
前記管理コンピュータが、
前記画像の世代識別情報により、同画像の世代数を判断する段階と、
前記画像の続柄識別情報により、同画像の続柄が直系の続柄又は傍系の続柄のいずれであるかを判断する段階と、
前記画像ファイルを、同画像ファイルの前記世代数に対応した前記世代別配置領域内であって、同画像の前記続柄に対応した前記直系用配置領域又は前記傍系用配置領域に組み込む段階を備えたことを特徴とする家系図作成方法。
【請求項２】
家系図を構成する画像の画像ファイルを記憶する画像ファイル記憶手段と、前記画像の世代識別情報及び続柄識別情報を記憶する属性情報記憶手段と、前記画像の世代ごとに形成された世代別配置領域内に、直系用配置領域及び傍系用配置領域が設けられたテンプレートの情報を記憶したテンプレート記憶手段とが設けられ、これら各記憶手段との間で各種データを送受信する管理コンピュータを用いて、前記テンプレート上に家系図を作成する家系図作成プログラムにおいて、
前記管理コンピュータを、
前記画像の世代識別情報により、同画像の世代数を判断する世代判断手段、
前記画像の続柄識別情報により、同画像の続柄が直系の続柄又は傍系の続柄のいずれかであるかを判断する続柄判断手段、
前記画像ファイルを、同画像ファイルの世代数に対応した前記世代別配置領域内であって、同画像の前記続柄に対応した前記直系用配置領域又は前記傍系用配置領域に組み込む画像配置手段として機能させることを特徴とする家系図作成プログラム。
【請求項３】
家系図を構成する画像の画像ファイルを記憶する画像ファイル記憶手段と、
前記画像の世代識別情報及び続柄識別情報を記憶する属性情報記憶手段と、
前記画像の世代ごとに形成された世代別配置領域内に、直系用配置領域及び傍系用配置領域が設けられたテンプレートの情報を記憶したテンプレート記憶手段と、
前記画像の世代識別情報により、同画像の世代数を判断する世代判断手段と、
前記画像の続柄識別情報により、同画像の続柄が直系の続柄又は傍系の続柄のいずれであるかを判断する続柄判断手段と、
前記画像ファイルを、同画像ファイルの前記世代数に対応した前記世代別配置領域内であって、同画像の続柄に対応した前記直系用配置領域又は前記傍系用配置領域に組み込む画像配置手段とを備えたことを特徴とする家系図作成システム。
【請求項４】
請求項３に記載の家系図作成システムにおいて、
前記画像ファイルが組み込まれたテンプレートの情報を印刷情報に変換して印刷するプリンタを備えたことを特徴とする家系図作成システム。
【請求項５】
請求項３又は４に記載の家系図作成システムにおいて、
記録媒体に印刷された画像を走査して前記画像ファイルを生成するスキャナを備えたことを特徴とする家系図作成システム。
【発明の詳細な説明】
【０００１】
【発明の属する技術分野】
本発明は、家系図を作成するための家系図作成方法、家系図作成プログラム及び家系図作成システムに関する。
【０００２】
【従来の技術】
デジタルカメラ等で撮像したり、スキャナにより画像を走査して生成した画像ファイルは、コンピュータ、プリンタ等から構成されるシステムに取り込んで編集することができる。このような編集方法として、例えば、デジタルカメラで撮影した画像ファイルを、撮影日時順に用紙にレイアウトする方法があった（例えば、特許文献１参照。）。
【０００３】
【特許文献１】
特開２００２−２６２２２２号公報
【０００４】
【発明が解決しようとする課題】
ところが、上記のような方法には、予め作成されたテンプレート等の画像ファイルに撮像した画像ファイルを順次組み込んで、例えば家系図等の画像データを作成するような方法はなかった。
【０００５】
本発明は、画像データが使用された家系図を作成することができる家系図作成方法、家系図作成プログラム及び家系図作成システムを提供することにある。
【０００６】
【課題を解決するための手段】
本発明の家系図作成方法は、家系図を構成する画像の画像ファイルを記憶する画像ファイル記憶手段と、前記画像の世代識別情報及び続柄識別情報を記憶する属性情報記憶手段と、前記画像の世代ごとに形成された世代別配置領域内に、直系用配置領域及び傍系用配置領域が設けられたテンプレートの情報を記憶したテンプレート記憶手段とが設けられ、これら各記憶手段との間で各種データを送受信する管理コンピュータを用いて、前記テンプレート上に家系図を作成する家系図作成方法において、前記管理コンピュータが、前記画像の世代識別情報により、同画像の世代数を判断する段階と、前記画像の続柄識別情報により、同画像の続柄が直系の続柄又は傍系の続柄のいずれであるかを判断する段階と、前記画像ファイルを、同画像ファイルの前記世代数に対応した前記世代別配置領域内であって、同画像の前記続柄に対応した前記直系用配置領域又は前記傍系用配置領域に組み込む段階を備えた。
【０００７】
これによれば、世代を示す世代識別情報が関連付けられた画像ファイルのうち、世代識別情報が同じである画像ファイルの画像を、テンプレートの世代別配置領域内にそれぞれ組み込むことができる。さらに、続柄識別情報が直系の続柄を示す画像を直系用配置領域に組み込み、傍系の続柄を示す画像を傍系用配置領域に組み込むことができる。その結果、同じ領域に同じ世代の画像が表示され、直系及び傍系の続柄の画像が、直系用及び傍系用の配置領域にそれぞれ表示された家系図を得ることができる。
【０００８】
本発明の家系図作成プログラムは、家系図を構成する画像の画像ファイルを記憶する画像ファイル記憶手段と、前記画像の世代識別情報及び続柄識別情報を記憶する属性情報記憶手段と、前記画像の世代ごとに形成された世代別配置領域内に、直系用配置領域及び傍系用配置領域が設けられたテンプレートの情報を記憶したテンプレート記憶手段とが設けられ、これら各記憶手段との間で各種データを送受信する管理コンピュータを用いて、前記テンプレート上に家系図を作成する家系図作成プログラムにおいて、前記管理コンピュータを、前記画像の世代識別情報により、同画像の世代数を判断する世代判断手段、前記画像の続柄識別情報により、同画像の続柄が直系の続柄又は傍系の続柄のいずれかであるかを判断する続柄判断手段、前記画像ファイルを、同画像ファイルの世代数に対応した前記世代別配置領域内であって、同画像の前記続柄に対応した前記直系用配置領域又は前記傍系用配置領域に組み込む画像配置手段として機能させる。
【０００９】
これによれば、世代を示す世代識別情報が関連付けられた画像ファイルのうち、世代識別情報が同じである画像ファイルの画像を、テンプレートの世代別配置領域内にそれぞれ組み込むことができる。さらに、続柄識別情報が直系の続柄を示す画像を直系用配置領域に組み込み、傍系の続柄を示す画像を傍系用配置領域に組み込むことができる。その結果、同じ領域に同じ世代の画像が表示され、直系及び傍系の続柄の画像が、直系用及び傍系用の配置領域にそれぞれ表示された家系図を得ることができる。
【００１０】
本発明の家系図作成システムは、家系図を構成する画像の画像ファイルを記憶する画像ファイル記憶手段と、前記画像の世代識別情報及び続柄識別情報を記憶する属性情報記憶手段と、前記画像の世代ごとに形成された世代別配置領域内に、直系用配置領域及び傍系用配置領域が設けられたテンプレートの情報を記憶したテンプレート記憶手段と、前記画像の世代識別情報により、同画像の世代数を判断する世代判断手段と、前記画像の続柄識別情報により、同画像の続柄が直系の続柄又は傍系の続柄のいずれであるかを判断する続柄判断手段と、前記画像ファイルを、同画像ファイルの前記世代数に対応した前記世代別配置領域内であって、同画像の続柄に対応した前記直系用配置領域又は傍系用配置領域に組み込む画像配置手段とを備えた。
【００１１】
これによれば、世代を示す世代識別情報が関連付けられた画像ファイルのうち、世代識別情報が同じである画像ファイルの画像を、テンプレートの世代別配置領域内にそれぞれ組み込むことができる。さらに、続柄識別情報が直系の続柄を示す画像を直系用配置領域に組み込み、傍系の続柄を示す画像を傍系用配置領域に組み込むことができる。その結果、同じ領域に同じ世代の画像が表示され、直系及び傍系の続柄の画像が、直系用及び傍系用の領域にそれぞれ表示された家系図を得ることができる。
【００１２】
この家系図作成システムにおいて、前記画像ファイルが組み込まれたテンプレートの情報を印刷情報に変換して印刷するプリンタを備えてもよい。
これによれば、デジタル化された家系図を印刷することができる。
【００１３】
この家系図作成システムにおいて、記録媒体に印刷された画像を走査して前記画像ファイルを生成するスキャナを備えてもよい。
これによれば、スキャナにより、記憶媒体に印刷されたデジタル化されていない画像を走査してデジタル化された画像ファイルを生成することができる。そして、この画像ファイルの画像を家系図に表示することができる。従って、デジタル化されていない画像を使用して家系図を作成することができる。
【００１４】
【発明の実施の形態】
以下、本発明を具体化した家系図作成システムの一実施形態を図１〜図６にしたがって説明する。本実施形態では、家系図作成システムは、家系図を作成するサービスを提供する店舗が所有するシステムとして説明する。
【００１５】
図１に示すように、家系図作成システム１０は、ＬＡＮ等のネットワークＮを介してスキャナ１１及びプリンタ１２に接続されている。尚、家系図作成システム１０、スキャナ１１及びプリンタ１２は、前記店舗内に配置され、店舗の店員により操作されるものである。スキャナ１１は、印刷された写真、絵等の画像を走査して画像ファイルを生成し、家系図作成システム１０に入力する。印刷手段としてのプリンタ１２は、家系図作成システム１０から送信された、印刷処理のための画像データを印刷情報としての印刷データに変換して印刷を行う。
【００１６】
家系図作成システム１０は、世代判断手段、続柄判断手段、及び画像配置手段としての、管理コンピュータ１５を備えている。この管理コンピュータ１５は、ＣＰＵ、ＲＡＭ、ＲＯＭ、ハードディスク、及びネットワークＮとの通信手段等を備えている。また、管理コンピュータ１５は、各種データを出力するためのディスプレイ、ＣＤ−ＲＯＭ等の記憶媒体のデータを読み取るための読取装置、キーボード、マウス等の入力装置を備えている。
【００１７】
また、管理コンピュータ１５は、画像ファイル記憶部２０、テンプレート記憶部２１、表示画面データ記憶部２２、及び属性データ記憶部２３にそれぞれ接続されている。画像ファイル記憶手段としての画像ファイル記憶部２０には、家系図を構成する人物が表示された画像を出力するための画像ファイルが、それぞれ番号等の識別子を付与されて記憶されている。この画像ファイルは、後記するテンプレートＴに組み込まれて人物の画像が表示された家系図を構成する。
【００１８】
この画像ファイルは、前記店舗に来店した顧客から受け取った写真や絵等の画像をデジタル化したものであり、スキャナ１１で走査することにより生成される。又は、画像ファイルは、店舗に来店した顧客から、画像ファイルを記憶したＣＤ−ＲＯＭを受け取った場合に、管理コンピュータ１５の前記読取り装置を使用して同ＣＤ−ＲＯＭから読み取ったデータである。この場合、ＣＤ−ＲＯＭに記憶された画像ファイルは、顧客がデジタルカメラで撮影して生成したデータ、印刷された写真又は絵等を、顧客が使用するスキャナで走査して生成したデータ等である。
【００１９】
テンプレート記憶手段としてのテンプレート記憶部２１には、前記テンプレートＴを管理コンピュータ１５のディスプレイに出力するためのファイルが複数記憶されている。テンプレートＴは、画像が組み込まれた家系図を作成するためのテンプレートであり、図２に示すように、人物の画像ファイルの画像を組み込こむための、世代別配置領域としての第１〜第５世代配置領域Ｓ１〜Ｓ５がそれぞれ形成されている。第１〜第５世代配置領域Ｓ１〜Ｓ５は、複数の画像ファイルの画像を横並びに配列するために、テンプレートＴの横方向へ帯状に形成されている。そして、第１世代配置領域Ｓ１がテンプレートＴの下方に形成され、その上方に、第２〜第５世代配置領域Ｓ２〜Ｓ５が、第２世代配置領域Ｓ２、第３世代配置領域Ｓ３、第４世代配置領域Ｓ４、第５世代配置領域Ｓ５の順に形成されている。
【００２０】
第１世代配置領域Ｓ１は、最も生年月日が早い第１世代の人物の画像ファイルの画像を複数組み込むための領域であり、第２〜第５世代配置領域Ｓ２〜Ｓ５と世代数が増加するにしたがって、組み込まれる画像ファイルの画像に対応する人物の生年月日が遅くなる。またテンプレートＴには、第１〜第５世代配置領域Ｓ１〜Ｓ５を互いに関連付ける画像が表示されている。図２では、樹の画像Ｔ１が表示されており、樹の枝部や幹部の画像により、第１〜第５世代配置領域Ｓ１〜Ｓ５間を関連付けるようになっている。
【００２１】
また、第１〜第５世代配置領域Ｓ１〜Ｓ５には、画像配置領域Ａ１〜Ａ４がそれぞれ形成されており、横方向に一列に配列されている。この画像配置領域Ａ１〜Ａ４に画像ファイルの画像を組み込むことにより、テンプレートＴ上に人物の画像が表示されるようになっている。
【００２２】
ところで、家系図を構成する各人物の続柄を決定するため、第５世代のうちの一人が家系図の基準人物として顧客により指定される。そして、後記する属性データ記憶部２３に基準人物を識別するためのデータが、基準人物の画像ファイルに関連付けて記憶される。従って、このテンプレートＴの第５世代配置領域Ｓ５には、基準人物と基準人物の兄弟姉妹、従兄弟の画像ファイルが組み込まれ、第４世代配置領域Ｓ４には、基準人物の父母、叔母、叔父等の画像ファイルが組み込まれる。さらに、第３世代配置領域Ｓ３には、基準人物の祖父、祖母、その兄弟姉妹等の画像ファイルが組み込まれ、第２世代配置領域Ｓ２には、基準人物の曾祖父、曾祖母、その兄弟姉妹等の画像ファイルが組み込まれる。第１世代配置領域Ｓ１には、基準人物の曾曾祖父、曾曾祖母、その兄弟姉妹等の画像ファイルが組み込まれる。
【００２３】
また、第１〜第５世代配置領域Ｓ１〜Ｓ５の画像配置領域Ａ１〜Ａ４のうち、中央に配置された、直系用配置領域としての画像配置領域Ａ１，Ａ２は、家系図の基準人物の直系にあたる人物の画像が配置される。例えば、第４世代配置領域Ｓ４の画像配置領域Ａ１には、基準人物の父親の画像ファイルの画像が組み込まれ、画像配置領域Ａ２には基準人物の母親の画像ファイルの画像が組み込まれる。あるいは、この画像配置領域Ａ１に、基準人物の父親及び母親が写った写真等の、複数の人物が表示された画像を組み込んでもよい。
【００２４】
各第１〜第５世代配置領域Ｓ１〜Ｓ５の両端に配置された、傍系用配置領域としての画像配置領域Ａ３，Ａ４には、基準人物の直系でない人物、すなわち傍系の人物の画像ファイルの画像が組み込まれる。例えば、第４世代配置領域Ｓ４の画像配置領域Ａ３には、基準人物の叔父の画像ファイルの画像が組み込まれ、画像配置領域Ａ４には基準人物の叔母の画像ファイルの画像が組み込まれる。各画像配置領域Ａ３，Ａ４には、複数の人物が表示された画像を組み込んでもよい。このように、各画像配置領域Ａ３，Ａ４は、組み込まれる画像ファイルの画像に表示された人物の続柄が決定されていない。
【００２５】
また、テンプレートＴの下部には、年代表示領域ＴＮ及び名称表示領域ＴＭが形成されている。年代表示領域ＴＮは、家系図を構成する人物の生年のうち、最も早い生年から現在までの年代を出力するための領域である。名称表示領域ＴＭは、家系の名称等を表示するための領域である。
【００２６】
表示画面データ記憶部２２には、図３に示す設定画面Ｓ、後記する属性表示画面ＳＫ（図６参照）を管理コンピュータ１５のディスプレイに出力するためのファイル等の各種データが記憶されている。属性情報を入力するための設定画面Ｓには、図３に示すように、テンプレート選択欄ＳＴ、画像ＳＧ、画像選択欄ＳＣ、及び属性情報設定欄ＳＺが表示されている。テンプレート選択欄ＳＴでは、テンプレートＴのファイルごとに割り振られた番号を選択することにより、家系図を作成するための各種のテンプレートＴを選択することができる。
【００２７】
画像ＳＧは、画像ファイル記憶部２０に記憶され、識別子が付与された画像ファイルが縮小されて表示されたものである。画像ＳＧは、画像選択欄ＳＣのプルダウンメニューから、画像ＳＧの識別子に対応した番号を選択することにより、対応する画像ファイルが抽出され、出力されるようになっている。
【００２８】
属性情報設定欄ＳＺ内には、画像ＳＧに表示された人物の属性情報を設定するための欄が設けられている。属性情報設定欄ＳＺには、画像ＳＧに表示された人物の人数を選択する人数選択欄ＳＺ１、画像ＳＧの人物の氏名を入力する氏名入力欄ＳＺ２、前記基準人物との続柄をプルダウンメニューに表示された名称のなかから選択させる続柄選択欄ＳＺ３とが表示されている。
【００２９】
人数選択欄ＳＺ１では、画像ＳＧに表示された人数をプルダウンメニューに表示された数値から選択する。人数選択欄ＳＺ１で人数を選択すると、選択された人数分の属性情報を設定を行うための属性情報設定欄ＳＺが表示されるようになっている。例えば、初めは設定画面Ｓに１人分の属性情報設定欄ＳＺが表示されているが、人数選択欄ＳＺ１で「２人」を選択すると、管理コンピュータ１５により、２人分の属性情報を設定するための属性情報設定欄ＳＺが新たに出力される。このとき、氏名入力欄ＳＺ２等の、属性情報を設定するための欄が属性情報設定欄ＳＺに２つずつ表示されるようになっている。
【００３０】
また、続柄選択欄ＳＺ３は、父、母、祖父、祖母等の直系の続柄を選択する第１の欄ＳＺ４と、兄、弟、姉、妹等の直系の続柄の人物との関係、すなわち傍系の続柄を選択する第２の欄ＳＺ５とから構成されている。例えば、画像ＳＧの人物が、基準人物の父親の妹、すなわち叔母であった場合、第１の欄ＳＺ４では「父」を選択し、第２の欄ＳＺ５では「妹」を選択する。続柄情報がこのように設定され、管理コンピュータ１５に入力された場合、管理コンピュータ１５は、「父」、「妹」を表すデータから、世代識別情報続柄及び続柄識別情報としての続柄データを構成し、氏名等の他の属性データとともに後記する属性データ記憶部２３に記憶させる。
【００３１】
また、例えば、父、母、祖父等の、画像ＳＧの人物が基準人物の直系の続柄の人物である場合、第１の欄ＳＺ４では「祖父」、第２の欄ＳＺ５では「本人」を選択する。続柄データがこのように設定され、管理コンピュータ１５に入力された場合、管理コンピュータ１５は「祖父」、「本人」をそれぞれ表すデータから、続柄データを構成し、属性データ記憶部２３に記憶させる。
【００３２】
画像ＳＧの人物が、最も若い世代であって、顧客から指定された基準人物である場合には、第１の欄ＳＺ４で「基準人物」を選択し、第２の欄ＳＺ５で「本人」を選択する。この属性情報が管理コンピュータ１５に入力された場合、管理コンピュータ１５は「基準人物」を表すデータから続柄データを生成し、属性データ記憶部２３に記憶させる。尚、この続柄選択欄ＳＺ３は、人数選択欄ＳＺ１で選択された人数と同じ数だけ表示される。
【００３３】
また、属性情報設定欄ＳＺには、生年月日選択欄ＳＺ６、死亡年月日選択欄ＳＺ７、出生地設定欄ＳＺ８が表示されている。生年月日選択欄ＳＺ６及び死亡年月日選択欄ＳＺ７は、画像ＳＧの人物の生年月日及び死亡年月日をそれぞれ選択できるようになっている。また、出生地設定欄ＳＺ８では、画像ＳＧの人物の出生地の、当時の名称と現在の名称とを入力できる。尚、生年月日選択欄ＳＺ６、死亡年月日選択欄ＳＺ７、及び出生地設定欄ＳＺ８は、人数選択欄ＳＺ１で選択された人数と同じ数だけそれぞれ表示される。
【００３４】
また、設定画面Ｓには、保存ボタンＳＨが表示されており、設定画面Ｓに属性情報を入力した後、保存ボタンＳＨをマウス等でクリックすると、管理コンピュータ１５により属性情報が属性データ記憶部２３に逐次記憶される。このとき、一つの画像ファイルに対して入力された属性情報は、その画像ファイルに関連付けて記憶される。
【００３５】
また、設定画面Ｓの、属性情報設定欄ＳＺの上方には、作成ボタンＳＢが表示されている。設定画面Ｓに属性情報を入力した後、作成ボタンＳＢをマウス等でクリックすると、既に属性情報を入力した画像ファイルがテンプレートＴに組み込まれ、人物の画像が配置された家系図を管理コンピュータ１５のディスプレイに出力される。
【００３６】
属性情報記憶手段としての属性データ記憶部２３には、前記設定画面Ｓにおいて、管理コンピュータ１５の入力装置を使用して入力された属性データが、前記画像ファイル記憶部２０に記憶された画像ファイルの識別子ごとに記憶されている。具体的には、設定画面Ｓで入力された、画像の人物の氏名、続柄、生年月日、死亡年月日、出生地等のデータが、画像ファイル記憶部２０に記憶された画像ファイルの識別子に関連付けられて記憶されている。
【００３７】
次に、この家系図作成システム１０、スキャナ１１、及びプリンタ１２を使用して、家系図を作成する手順について説明する。
まず、家系図を作成するサービスを提供する店舗の店員は、家系図の作成依頼があった場合に、顧客から、家系図を構成する人物の画像が印刷された印刷物を受取り、さらに印刷物に表示された人物の属性情報を聞くなどして、属性情報を入手する。
【００３８】
又は、前記店舗の店員は、顧客から、画像ファイルを記憶したＣＤ−ＲＯＭ等の記憶媒体を受取り、さらに属性情報を入手する。また、顧客から印刷物又は画像ファイルを受け取るとき、店員は、家系図の各人物に続柄を設定する際に基準となる基準人物を顧客に指定してもらう。
【００３９】
前記店舗の店員は、顧客から画像が印刷された印刷物を受け取った場合は、まず、スキャナ１１にてそれを走査して画像ファイルを生成する。そして、生成された画像ファイルを、スキャナ１１の図示しない制御部により、家系図作成システム１０に送信する。家系図作成システム１０の管理コンピュータ１５はその画像ファイルを受信し、画像ファイル記憶部２０に記憶させる。
【００４０】
一方、顧客から画像ファイルを記憶したＣＤ−ＲＯＭ等の記憶媒体を受け取った場合は、前記管理コンピュータ１５の読取り装置により、記憶媒体の画像ファイルを読取る。そして、管理コンピュータ１５は、読み取った画像ファイルを画像ファイル記憶部２０に記憶させる。
【００４１】
次に、前記店舗の店員は管理コンピュータ１５のディスプレイに設定画面Ｓを表示させ、この設定画面Ｓで、顧客から入手した属性情報をキーボード、マウス等の入力装置を使用して入力する。まず、テンプレート選択欄ＳＴで、家系図を構成する世代数、人数等に合ったテンプレートＴを選択する。次に、画像選択欄ＳＣで各番号を選択することにより、一つの画像ＳＧを表示させる。そして、表示された画像ＳＧに何人の人物が表示されているか確認し、人数選択欄ＳＺ１でその人数を選択する。その結果、人数選択欄ＳＺ１で選択された人数に対応した属性情報設定欄ＳＺが表示される。
【００４２】
次に、画像ＳＧに表示された人物の、氏名、基準人物からの続柄、生年月日、死亡年月日、及び出生地等の属性情報を管理コンピュータ１５の入力装置を使用して設定する。設定された属性情報は、保存ボタンＳＨを押下することにより、管理コンピュータ１５によって属性データとして属性データ記憶部２３に記憶される。そして、一つの画像ＳＧに対する設定を終えると、画像選択欄ＳＣで次の画像ＳＧを表示させ設定を行って属性データを属性データ記憶部２３に記憶させる。全ての画像ＳＧについて属性データを属性データ記憶部２３に記憶させた後、設定画面Ｓの作成ボタンＳＢをクリックすると、管理コンピュータ１５によりテンプレートＴの画像配置領域Ａ１〜Ａ４に画像ファイルの画像を組み込む画像配置処理が行われる。
【００４３】
この画像配置処理について図４にしたがって説明する。まず、管理コンピュータ１５は、画像ファイル記憶部２０から世代ごとに画像ファイルを抽出する（Ｓ１−１）。本実施形態では、管理コンピュータ１５は、まず、基準人物の曾曾祖父母が含まれる第１世代の人物の画像ファイルを最初に抽出する。具体的には、管理コンピュータ１５が属性データ記憶部２３に記憶された続柄データを検索し、続柄データが第１世代のデータである画像ファイルを抽出する。第１世代を示す続柄データは、「曾曾祖父」、「曾曾祖母」等の直系の続柄のデータと、「本人」、「兄」等の傍系の続柄データとから構成されている。このため、管理コンピュータ１５は、属性データ記憶部２３から「曾曾」を含む続柄データを検索し、その続柄データに関連付けられた画像ファイルを画像ファイル記憶部２０から全て抽出する。
【００４４】
第１世代の人物の画像ファイルを抽出した後、その世代における基準人物の直系の人物のうち、男性、又は、男性及び女性の人物の画像ファイルがあるか否か判断する（Ｓ１−２）。具体的には、管理コンピュータ１５は、画像ファイルに関連付けられた続柄データに、「曾曾祖父」及び「本人」、又は、「曾曾祖父母」及び「本人」が含まれる続柄データがあるか否かを判断する。男性、又は、男性及び女性の人物の画像ファイルがあった場合（Ｓ１−２においてＹＥＳ）、その画像ファイルは、曾曾祖父、又は曾曾祖父母の画像ファイルであるため、テンプレートＴの第１世代配置領域Ｓ１の画像配置領域Ａ１に、その画像ファイルを組み込む（Ｓ１−３）。
【００４５】
男性、又は、男性及び女性の人物の画像ファイルがない場合（Ｓ１−２においてＮＯ）、及び画像配置領域Ａ１に画像ファイルを組み込んだ（Ｓ１−３）後は、抽出した画像ファイルに、基準人物の直系にあたる人物のうち、女性の人物のみの画像を表示する画像ファイルがあるか否かを判断する（Ｓ１−４）。具体的には、管理コンピュータ１５が、画像ファイルに関連付けられた続柄データに「曾曾祖母」及び「本人」が含まれるデータがあるか否か検索する。
【００４６】
基準人物の直系であって、女性の人物の画像ファイルがある場合（Ｓ１−４においてＹＥＳ）は、第１世代配置領域Ｓ１の画像配置領域Ａ２にその画像ファイルを組み込む（Ｓ１−５）。
【００４７】
基準となる人物の直系であって、女性の人物の画像ファイルがない場合（Ｓ１−４においてＮＯ）、及び画像配置領域Ａ２に画像ファイルを組み込んだ（Ｓ１−５）後、抽出された画像ファイルのうち残った画像ファイルを画像配置領域Ａ３，Ａ４に順次組み込む（Ｓ１−６）。例えば、１枚分の画像ファイルが残っている場合、画像配置領域Ａ３に画像ファイルを組み込む。２枚分の画像ファイルが残っている場合、管理コンピュータ１５は、各画像ファイルに関連付けられた属性データの生年月日を検索し、生年月日が早い画像ファイルから、画像配置領域Ａ３、画像配置領域Ａ４の順に画像ファイルを組み込む。また、抽出された画像ファイルのうち、残った画像ファイルがない場合はこの処理は行われない。
【００４８】
そして、管理コンピュータ１５は、すべての世代の画像ファイルをテンプレートＴへ組み込んだか否か判断する（Ｓ１−７）。画像ファイルの組み込みが終了した場合（Ｓ１−７においてＹＥＳ）は、そのまま処理を終了する。画像ファイルの組み込みが終了していない場合（Ｓ１−７においてＮＯ）は、次の世代について上記した処理を繰り返す。ここでは、第１世代の次に、第２世代に対して上記の処理を繰り返し、その後第３世代、第４世代に対して上記の処理を繰り返す。
【００４９】
そして、第５世代に対する処理が行われる際には、直系の男性、又は、男性及び女性の画像ファイルがある否か判断する（Ｓ１−２）ときは、直系に相当する人物がいないと判断し、画像配置領域Ａ１には基準人物本人の画像を組み込む。同様に、基準人物の直系にあたる女性の画像ファイルがある否か判断する（Ｓ１−４）ときは、直系に相当する人物がいないと判断し、ここでは画像配置領域Ａ２には画像ファイルを組み込まない。そして、残りの画像ファイルの画像を組み込む（Ｓ１−６）ときに、残った画像ファイルの画像を画像配置領域Ａ２、画像配置領域Ａ３、画像配置領域Ａ４の順に組み込む。
【００５０】
すべての画像ファイルの画像をテンプレートＴに組み込むと、管理コンピュータ１５は、図５に示す、画像が組み込まれた家系図Ｋをディスプレイに出力する。家系図Ｋには、画像ファイルが組み込まれた画像配置領域に対応する領域にのみ、画像ＫＧが表示されている。また、各画像ＫＧには、氏名表示領域ＫＳがそれぞれ形成されている。この氏名表示領域ＫＳには、属性データ記憶部２３に記憶され、各画像ファイルに関連付けられた属性データから、人物の氏名が管理コンピュータ１５により抽出され表示されている。
【００５１】
そして、年代表示領域ＫＮには、管理コンピュータ１５により、属性データとして記憶された各人物の生年月日のうち最も早い生年月日の年と、家系図Ｋを作成した年とが表示されている。名称表示領域ＫＭには、図示しない入力画面において、入力装置を使用して入力された家系図の名称を示す文字データが出力されている。
【００５２】
そして、家系図Ｋの画像ＫＧのうち、一つの画像ＫＧ内をクリックすると、管理コンピュータ１５に画面出力命令が送出され、管理コンピュータ１５がその画像ＫＧに対応した、図６に示す属性表示画面ＳＫをディスプレイに出力する。このとき、管理コンピュータ１５は、属性表示画面ＳＫを出力するためのファイル等を、表示画面データ記憶部２２から抽出し、画像ＫＧに対応した属性データを属性データ記憶部２３から抽出する。この属性表示画面ＳＫには、クリックした画像ＫＧの人物の属性情報が出力されており、氏名、続柄、生年月日、死亡年月日、出生地が表示されている。
【００５３】
また、家系図Ｋが表示された画面には、印刷ボタンＫＢが表示されている。この印刷ボタンＫＢをクリックすると、管理コンピュータ１５は、テンプレートＴに画像ファイルを組み込んだ家系図Ｋの画像データを、印刷のためのデータに変換してプリンタ１２に送信する。
【００５４】
プリンタ１２の図示しない制御部は、このデータを受信して印刷データに変換し、この印刷データに基づいて記録媒体としての用紙に印刷を行う。店舗の店員は、この印刷した家系図を顧客に渡す。又は、作成された家系図Ｋの画像データ、この家系図Ｋを作成するために使用された属性データ等をＣＤ−ＲＯＭ等の記憶媒体に記憶させて顧客に渡す。同記憶媒体が渡された場合には、記憶媒体に記憶された家系図Ｋの画像データを、顧客の使用するコンピュータ端末のディスプレイ等に出力させて見ることができる。そして、家系図Ｋの画像ＫＧを選択することにより、画像ＫＧに表示された人物の属性情報を、属性表示画面ＳＫにて見ることができる。
【００５５】
上記実施形態によれば、以下のような効果を得ることができる。
（１）上記実施形態では、管理コンピュータ１５により、キーボート等の入力装置を使用して入力された属性データを、家系図を構成する人物の画像ファイルに関連付けて属性データ記憶部２３に記憶させるようにした。そして、属性データに含まれる続柄データを検索して、画像ファイルを人物の世代ごとに抽出し、その画像ファイルの画像を、テンプレートＴの各第１〜第５世代配置領域Ｓ１〜Ｓ５にそれぞれ組み込むようにした。
【００５６】
このため、同じ世代の人物の画像ＫＧを、家系図Ｋに横方向に一列に配置させることができる。従って、家系図を構成する人物の画像を世代ごとに表示した家系図を作成することができる。
【００５７】
（２）上記実施形態では、管理コンピュータ１５により、基準人物の直系にあたる人物の画像ファイルの画像を、テンプレートＴの第１〜第４世代配置領域Ｓ１〜Ｓ４の画像配置領域Ａ１又は画像配置領域Ａ２にそれぞれ組み込むようにした。従って、完成した家系図Ｋを見ることにより、どの人物が基準人物の直系にあたる人物であるか判断することができる家系図を作成することができる。
【００５８】
（３）上記実施形態では、管理コンピュータ１５により、基準人物の直系でない人物、すなわち傍系の人物の画像ファイルの画像を、テンプレートＴの第１〜第４世代配置領域Ｓ１〜Ｓ４の画像配置領域Ａ３又は画像配置領域Ａ４にそれぞれ組み込むようにした。第５世代配置領域Ｓ５では、家系図の基準となる人物の画像ファイルの画像を画像配置領域Ａ１に組み込み、基準人物の傍系の人物の画像ファイルを画像配置領域Ａ２〜Ａ４に組み込むようにした。
【００５９】
従って、完成した家系図Ｋを見ることにより、どの人物が基準人物の直系でない人物であるか判断することができる家系図を作成することができる。また、各画像配置領域Ａ３，Ａ４は、組み込まれる画像ファイルの人物の続柄が決定されていないため、直系にあたる人物でなければどの人物の画像ファイルの画像でも組み込むことができる。
【００６０】
なお、上記実施形態は以下のように変更してもよい。
・上記実施形態では、家系図Ｋに人物の属性情報を出力せず、各画像ＫＧをクリックしたときに属性情報を表示した属性表示画面ＳＫをディスプレイに出力するようにした。これを、家系図Ｋの画像ＫＧ付近に、その画像ＫＧの人物の続柄、氏名等の属性データを出力するようにしてもよい。このようにすると、家系図Ｋの画像データを印刷した場合に、属性情報も併せて印刷することができる。
【００６１】
・上記実施形態では、店舗にて渡された写真等の印刷物を走査して画像ファイルを生成した。又は、画像ファイルを記憶した記憶媒体から同画像ファイルを読取るようにした。そして、この画像ファイルを使用して家系図を作成するようにした。これを、管理コンピュータ１５がネットワークＮを介して、顧客から前記画像ファイルを受信するようにしてもよい。このとき、管理コンピュータ１５には、ネットワークＮを介して、顧客の使用する端末との間で各種データを送受信する接続手段が備えられる。また、このとき、家系図作成システム１０内に、家系図作成の依頼を受付けるためのウェブサイトを顧客に対して提供するウェブサーバを設けてもよい。そして、顧客が、顧客の使用する端末を使用して前記ウェブサーバにアクセスし、ウェブサーバに対して家系図作成の依頼情報を送信すると共に、家系図作成のための画像ファイルを管理コンピュータ１５に対して送信するようにしてもよい。
【００６２】
・上記実施形態では、家系図作成システム１０、スキャナ１１、及びプリンタ１２は店舗内に配置され、店舗の店員により操作されるものとした。これを、スキャナ１１及びプリンタ１２を店舗内に配置し、家系図作成システム１０を前記店舗が所有する管理センタに配置してもよい。そして、ネットワークＮを介して、スキャナ１１及びプリンタ１２と、家系図作成システムとの間で各種データを送受信するようにしてもよい。
【図面の簡単な説明】
【図１】本発明の一実施形態のシステムの概略図。
【図２】テンプレートの説明図。
【図３】設定画面の説明図。
【図４】本発明の一実施形態の処理手順の説明図。
【図５】家系図の説明図。
【図６】属性表示画面の説明図。
【符号の説明】
１０…家系図作成システム、１１…スキャナ、１２…プリンタ、１５…世代判断手段、続柄判断手段、及び画像配置手段としての管理コンピュータ、２０…画像ファイル記憶手段としての画像ファイル記憶部、２１…テンプレート記憶手段としてのテンプレート記憶部、２３…属性情報記憶手段としての属性データ記憶部、Ａ１，Ａ２…直系用配置領域としての画像配置領域、Ａ３，Ａ４…傍系用配置領域としての画像配置領域、Ｓ１〜Ｓ５…世代別配置領域としての第１〜第５世代配置領域、Ｔ…テンプレート。
【図１】
2004295648.tif 000003
【図２】
2004295648.tif 000004
【図３】
2004295648.tif 000005
【図４】
2004295648.tif 000006
【図５】
2004295648.tif 000007
【図６】
2004295648.tif 000008